(57)【要約】【課題】本発明は、カートリッジが情報記録媒体格納部にスライド挿入される際に、回転方向の規制を加え、情報記録媒体格納部に対するカートリッジの角度ずれを小さくし、振動・落下などにより情報記録媒体格納部へ与える影響を軽減することができる情報再生装置とそれを備えた電子機器を提供することを目的とする。【解決手段】情報再生装置１における情報記録媒体格納部８の保持板８１に、スライド挿入時においてカートリッジ６の凹部６１に入り込むような高さで保持板８１から保持板８２の方向へ突出する凸部６０を設けたものである。【選択図】図２
2010205342.tif 000002
【特許請求の範囲】
【請求項１】
情報の記録面を有するディスク状記録媒体を収容しその記録面と平行な方向の面に少なくとも１つの凹部が形成されたカートリッジをその高さ方向から挟み込むように所定の間隔で対面配置された一対の保持板と、
前記一対の保持板と連接され前記カートリッジをその幅方向の側面側から挟み込むように所定の間隔で対面配置された一対の側板と、
前記一対の保持板のいずれか一方の保持板に、前記カートリッジのスライド挿入時において前記凹部に入り込むような高さでその保持板から他方の保持板の方向へ突出する凸部と、を有する情報記録媒体格納部を備えた情報再生装置。
【請求項２】
前記凸部の高さは、前記カートリッジのスライド挿入時とスライド挿入後のいずれにおいても前記凹部に入り込むように設定された請求項１記載の情報再生装置。
【請求項３】
前記凸部の高さは、その一対の保持板の高さ方向の間隔から前記カートリッジの高さ方向の高さを差し引いた長さよりも大きくなるように設定された請求項１記載の情報再生装置。
【請求項４】
前記凸部は、前記カートリッジをスライド挿入する方向に沿って平板状に延設された請求項１記載の情報再生装置。
【請求項５】
前記凸部は、前記カートリッジをスライド挿入する方向と直角な方向に弾性変形するように設定された請求項４記載の情報再生装置。
【請求項６】
前記凸部は、前記一対の側板のいずれか一方に偏倚して設けられ、かつ、その凸部と他方の側板との間隔は前記カートリッジの奥行きよりも小さくなるように設定された請求項１記載の情報再生装置。
【請求項７】
前記凸部は、前記保持板の前記カートリッジの挿入口側に設けられた請求項１記載の情報再生装置。
【請求項８】
請求項１から７いずれか１項に記載の情報再生装置を備えた電子機器。
【発明の詳細な説明】
【技術分野】
【０００１】
本発明は光ディスク等の情報記録媒体に記録された情報を、少なくとも再生することが可能な情報再生装置とそれを備えた電子機器に関するものである。
【背景技術】
【０００２】
最近のデジタル技術の急速な発展に伴い、各種のコンテンツでは取り扱うデータ量が急増しており、ユーザの様々な用途に合わせた情報記録媒体が開発されている。
【０００３】
このような情報記録媒体の例としてはハードディスク、光ディスク、半導体メモリなどが挙げられる。
【０００４】
これら情報記録媒体を使用する情報再生装置やパーソナルコンピュータなどを、室内だけではなく屋外に持ち出して使用したいというユーザからの強い要望がある。
【０００５】
そのようなモバイル用途を想定した少し大きめの電子機器としては、例えばノート型の携帯型パーソナルコンピュータ、ＰＤＡに代表される携帯情報端末、携帯電話、携帯ゲーム機器、デジタルスチルカメラ、デジタルビデオカメラなどを挙げることができる。
【０００６】
特に、最近では、７インチ、８．９インチ、または１０．２インチなどの小画面の液晶表示装置を搭載した超小型のいわゆるウルトラモバイルパソコンなどが携帯端末の価格とあまり変わらない価格帯で販売され爆発的な人気を博している。
【０００７】
これらモバイル用途において、取り扱うコンテンツが静止画やテキストデータが中心の場合、即ち情報記録媒体の記録容量が少なくてもよい場合は一般に半導体メモリが多用される。
【０００８】
その理由は、半導体メモリには消費電力が少なく、機構部がないために落下衝撃に強く、データ転送速度が高速であるというメリットがあるが、その反面、記憶容量あたりのコストが高いために動画など大容量のデータを持つコンテンツに対する記録メディアとしては不向きである。
【０００９】
一方、光ディスクを用いた情報記録媒体は光ディスクの交換による容量当たりのコストの優位性、ランダムアクセス性、再生専用のメディア（ＲＯＭ）としたときにディスク製造の生産性に優れているため、特に動画など大容量データを有するコンテンツを記録する情報記録媒体の主流となっている。
【００１０】
また、例えば、操作者が携帯するのに適合した音楽再生用としてポピュラーな小型の電子機器としては、直径約６３ｍｍの小径光ディスクを幅約７２ｍｍ、奥行き６８ｍｍ、高さ５ｍｍの外形寸法を有する樹脂製のカートリッジ内に収容したミニディスク（登録商標）などの小径の光ディスクの再生が可能な小型プレーヤー、あるいはインターネットのネット回線を介して内蔵されたハードディスクや半導体メモリにお気に入りの画像や楽曲などをダウンロードして再生が可能な超小型プレーヤーなども広く普及している。
【００１１】
このようなカートリッジに収容された小径光ディスクを再生する情報再生装置として、例えば（特許文献１）に開示される構成が知られている。
【特許文献１】特開２００２−２１６４５１号公報
【発明の開示】
【発明が解決しようとする課題】
【００１２】
しかしながら従来の技術では、このような光ディスクを用いた情報記録媒体を少なくとも再生可能に構成された情報再生装置は、例えばレーザー光源から出射された光を光学部材経由で情報記録媒体に導いてその情報記録媒体の記録面に結像させ、この記録面に形成されたμｍオーダの微小なピットの有無を記録面からの反射光に基づいて検出する必要がある。
【００１３】
したがって、光源から出射された光を情報記録媒体に導き結像させる光学部材と情報記録媒体の相対的な位置関係には極めて高い位置合わせ精度が要求される。
【００１４】
その一方で、電子機器自体が超小型であるがゆえに、自動車や電車などの車両で移動中に操作されることも頻繁にあるために、このようなモバイル用途を想定した電子機器に搭載される情報再生装置においては、それが振動・落下等によって強い衝撃に晒される可能性が高まる。
【００１５】
しかしながら、前述したミニディスク（登録商標）などの小径の光ディスクの再生が可能な小型プレーヤーにおいては、カートリッジの側面溝と嵌合可能な凸部が設けられており高さ方向の規制には寄与するものの回転方向の規制を行うことができず、振動・落下などの衝撃応力が集中するカートリッジの角部が情報記録媒体格納部を構成する部材に与える影響を軽減することが困難であった。
【００１６】
また、単なる輸送振動や落下のおそれだけでなく、操作者によってはその電子機器が駆動している状態であっても電子機器自体を天地逆転する状態にしたり、周囲が暗くなり情報記録媒体や情報再生装置の視認性が悪かったりして、情報記録媒体を正しい方向で情報再生装置に挿入しないまま無理をして押し込むため、情報再生装置の情報記録媒体格納部を構成する部材を変形や破損させてしまうという課題もあった。
【００１７】
本発明は、上記従来の課題を解決するもので、カートリッジが情報記録媒体格納部に装着される際に、回転方向の規制を加え、情報記録媒体格納部に対するカートリッジの角度ずれを小さくし、振動・落下などにより情報記録媒体格納部へ与える影響を軽減することができる情報再生装置とそれを備えた電子機器を提供することを目的とする。
【課題を解決するための手段】
【００１８】
上記目的を達成するために、本発明の情報再生装置は、情報の記録面を有するディスク状記録媒体を収容しその記録面と平行な方向の面に少なくとも１つの凹部が形成されたカートリッジをその高さ方向から挟み込むように所定の間隔で対面配置された一対の保持板と、一対の保持板と連接されカートリッジをその幅方向の側面側から挟み込むように所定の間隔で対面配置された一対の側板と、一対の保持板のいずれか一方の保持板に、カートリッジのスライド挿入時において凹部に入り込むような高さでその保持板から他方の保持板の方向へ突出する凸部と、を有する情報記録媒体格納部を備えたものである。
【発明の効果】
【００１９】
本発明に係わる情報再生装置は、情報記録媒体格納部は、情報の記録面を有するディスク状記録媒体を収容しその記録面と平行な方向の面に少なくとも１つの凹部が形成されたカートリッジをその高さ方向から挟み込むように所定の間隔で対面配置された一対の保持板と、一対の保持板と連接されカートリッジをその幅方向の側面側から挟み込むように所定の間隔で対面配置された一対の側板と、一対の保持板のいずれか一方の保持板に、カートリッジのスライド挿入時において凹部に入り込むような高さでその保持板から他方の保持板の方向へ突出する凸部と、を有する情報記録媒体格納部を備えたことにより、カートリッジが情報記録媒体格納部に装着される際に、回転方向の規制を加え、情報記録媒体格納部に対するカートリッジの角度ずれを小さくし、振動・落下などにより情報記録媒体格納部へ与える影響を軽減することができる。
【発明を実施するための最良の形態】
【００２０】
以下、本発明を実施するための最良の形態について、図面を参照しながら説明する。
【００２１】
（実施の形態１）
図１に示すように情報再生装置１は、着脱可能な情報記録媒体７を格納する情報記録媒体格納部８と、少なくとも情報記録媒体７のカートリッジ６に収容されたディスク状記録媒体５に記録された情報を読み取るピックアップ７５と、再生機構部２のほぼ中央に配置され、ディスク状記録媒体５を回転駆動するスピンドルモータ２２と、上面シャーシ９の下方に隣接配置された取り付け部９５から情報記録媒体格納部８の開口部を通って垂れ下がり、ピックアップ７５の正常な動作範囲を超える変位を規制するピックアップ規制部材９４を有している。
【００２２】
まず操作者は、情報記録媒体７を情報再生装置１に装着するにあたって、図示しない開放レバーを操作することにより再生機構部２から上面シャーシ９と情報記録媒体格納部８の両部材を上方に開放した状態にしてから、次に手動で情報記録媒体７を情報記録媒体格納部８の中へ所定の方向でスライド挿入する。
【００２３】
ここで、情報の記録面を有するディスク状記録媒体５を収容したカートリッジ６の上面となるディスク状記録媒体５の記録面と平行な方向の面に少なくとも１つの凹部６１（図５参照）がスライド挿入方向と平行に形成されており、操作者はその凹部６１を上側に向けた状態でゆっくりスライド挿入する。
【００２４】
そして、カートリッジ６に形成された凹部６１に入り込むような高さで凸部６０（図２参照）が情報記録媒体格納部８に設けられているため、そのスライド挿入時において、カートリッジ６に回転方向の規制が加わることとなるが、その詳細については後述する。
【００２５】
また、ピックアップ規制部材９４は、情報記録媒体７が情報記録媒体格納部８への情報記録媒体７の着脱に応じて容易に弾性変位するように構成されている。
【００２６】
そのため、情報記録媒体７のスライド挿入に伴って、そのカートリッジ６の進行方向の先端部に押されて上側に弾性変形し、さらにスライド挿入されるとピックアップ規制部材９４がカートリッジ６の上面に当接した状態で情報記録媒体７がスピンドルモータ２２の周部に配設されたマグネットによってチャッキング装着され、スピンドルモータ２２によってディスク状記録媒体５の回転駆動が可能な位置で保持される。
【００２７】
そして、カートリッジ６のスライド挿入後においては、カートリッジ６の挿入側の前面がイジェクトレバーの作用部１００に当接してさらにイジェクトレバーが押し込まれているため、そのイジェクトレバーは押し込まれた状態で情報記録媒体格納部８に係止されることになる。
【００２８】
ここで、図面の下部で示した矢印ｘ、ｙ、ｚは、相互に垂直な関係にある空間３次元の方向を示しており、それぞれ情報再生装置１やカートリッジ６に対する幅方向、奥行き方向および高さ方向を示している。
【００２９】
次に、図２を用いて前述した情報記録媒体格納部８の詳細な構成を説明する。
【００３０】
情報記録媒体格納部８は、カートリッジ６をその高さ方向から挟み込むように所定の間隔で対面配置された一対の保持板８１、保持板８２と、かつ、その一対の保持板８１、保持板８２の幅方向の両側のそれぞれに連接されカートリッジ６をその幅方向の側面側から挟み込むように所定の間隔で対面配置された一対の側板８３、側板８４と、さらに、保持板８１にはスライド挿入時においてカートリッジ６の凹部に入り込むような高さで保持板８１から保持板８２の方向へ突出する凸部６０と、を有している。
【００３１】
次に、図３を用いて破線で示した情報記録媒体７と情報記録媒体格納部８との関係を幅方向および高さ方向について説明する。
【００３２】
ここで、情報記録媒体格納部８における側板８３と側板８４との幅方向の間隔をＷ、保持板８１と保持板８２との高さ方向の間隔をＨとし、カートリッジ６において幅方向の外形寸法をｗ１、高さ方向の外形寸法をｈ１とすると、スムーズなスライド挿入性を確保するため、ｗ１＜Ｗおよびｈ１＜Ｈの条件を十分に満足するように設定されている。
【００３３】
また、本図からも明らかなように、凸部６０は、保持板８１の幅方向において側板８３に偏倚して設けられ、かつ、その凸部６０と側板８４との間隔ｗ２はカートリッジ６の奥行きｄ１（図４（ａ）参照）よりも小さくなるように設定されている。
【００３４】
これにより、例えば幅ｗ１よりも奥行きｄ１が小さなカートリッジ６が正しい挿入方向に対して９０度回転して挿入しようとしても、その凸部６０によって挿入が妨げられるので、誤挿入を確実に防止できる。
【００３５】
つまり、操作者によっては情報再生装置１の搭載された電子機器自体を天地逆転する状態にしたり、周囲が暗くなり情報記録媒体７や情報再生装置１の挿入口８５の視認性が悪かったりして、情報記録媒体７を正しい方向で情報再生装置１に挿入しないまま無理をして押し込むため、情報再生装置１の情報記録媒体格納部８を構成する部材を破損させてしまうという課題も解決できる。
【００３６】
次に、図４（ａ）と図４（ｂ）を用いて破線で示した情報記録媒体７と情報記録媒体格納部８との関係を奥行き方向について説明する。
【００３７】
ここで、図４（ａ）で示したように、カートリッジ６が情報記録媒体格納部８の挿入口８５から押し込まれ、スライド挿入時において保持板８１にはカートリッジ６の上面に形成された凹部６１（図５参照）に入り込むような高さで保持板８１から保持板８２の方向へ突出する凸部６０が設けられている。
【００３８】
また、図４（ｂ）で示したように、カートリッジ６は情報記録媒体格納部８の内部をスライドしてその進行方向の先端部が図示しないイジェクトレバーに当接して停止した状態においても凸部６０は凹部に入りこむように奥行き方向の位置に設けられている。
【００３９】
すなわち、凸部６０の高さｈ２は、カートリッジ６のスライド挿入時とスライド挿入後のいずれにおいてもカートリッジ６のスライド挿入方向と平行に形成された凹部６１（図５参照）に入り込むように設定されている。
【００４０】
これにより、カートリッジ６が情報記録媒体格納部８に装着される際において、スライド挿入時に加えてスライド挿入後においても回転方向の規制が加わるため、最終マグネットによってチャッキングされ、カートリッジ６が再生位置にある状態、いわゆる再生状態においても、情報記録媒体格納部８の側板８３や側板８４に対して平行度が保たれ、落下・衝撃の際に破線で示したカートリッジ６の角部６ａ、６ｂ、６ｃ、６ｄ（図６参照）が側板８３や側板８４に点接触することが少なくなるので、情報記録媒体格納部８の側板８３や側板８４の変形を軽減できる。
【００４１】
また、凸部６０は、カートリッジ６を矢印で示したスライド挿入する方向に沿って平板状に延設されている。
【００４２】
これにより、凸部６０が、カートリッジ６の奥行き方向においてより大きな挿入ストロークで規制応力がカートリッジ６に作用することにより、回転方向の規制がより精度良く行われる。
【００４３】
また、凸部６０は、カートリッジ６をスライド挿入する方向と直角な方向となる幅方向に弾性変形するようにも設定されている。
【００４４】
これにより、情報記録媒体格納部８の側板８３や側板８４に対して平行度が保たれ、かつ、落下・衝撃の際にもカートリッジ６が情報記録媒体格納部８の内部において幅方向に変位しようとしても、カートリッジ６の凹部６１がその中に入り込んだ凸部６０にぶつかり、凸部６０が幅方向に弾性変形して衝撃応力を分散でき、情報記録媒体格納部８の側板８３や側板８４を変形させる応力をより緩和できるので、その分、情報記録媒体格納部８の側板８３や側板８４の変形を軽減できる。
【００４５】
ここで、保持板８１に対する凸部６０の形成方法は、プレス成形により所定の大きさだけ打ち抜き加工により開口して、所定の残存部分を垂直方向に折曲げ加工すれば工程も簡素化できるため好ましいが、予め別部材で製作したものを溶着、溶接、接着、カシメなどにより固定しても構わない。
【００４６】
次に、図５を用いて凸部６０と凹部６１の関係を説明する。
【００４７】
この図から明らかなように、凸部６０の保持板８１からの高さｈ２は、保持板８１と保持板８２の高さ方向の間隔Ｈからカートリッジ６の高さｈ１を差し引いた長さよりも大きくなるように設定されている。
【００４８】
これにより、操作者によってカートリッジ６のスライド挿入が天地逆転の方向（重力に対してさかさまの方向）のいずれの方向に情報再生装置１が置かれたとしても、そのカートリッジ６の自重によって凸部６０が凹部６１に確実に入りこむので、回転方向の規制がより精確に行われる。
【００４９】
なお、本図のように、凸部６０と凹部６１との幅方向の隙間は、カートリッジ６と側板８３との間隔よりも小さい方が好ましいが、側板に十分な弾性力があり凸部６０の回転方向の規制に影響がない場合や前述したような凸部６０の弾性変形による衝撃応力の分散を行うのが主たる目的の場合などには、むしろカートリッジ６と側板８３との間隔よりも大きくしてもよい。
【００５０】
次に、図６を用いて破線で示したカートリッジ６と情報記録媒体格納部８との関係を説明する。
【００５１】
本図は、図５（ｂ）と同じ状態であって、カートリッジ６に収容されたディスク状記録媒体５がスピンドルモータ２２の周部に配置されたマグネットによってチャッキング装着され、スピンドルモータ２２によってディスク状記録媒体５の回転駆動が可能な位置で保持された状態である。
【００５２】
この状態は、カートリッジ６が情報記録媒体格納部８にスライド挿入される際に、十分なスムーズなスライド挿入性が確保されつつも破線で示したスピンドルモータ２２を略中心として回転方向に角度θを小さくする方向の規制も加わっている。
【００５３】
したがって、本発明に係わる凸部６０が設けられておらず規制なしの状態でスライド挿入されれば破線で示したカーリッジ６の状態であったものが、本発明に係わる凸部６０が設けられその規制によって実線で示したカートリッジ６のように情報記録媒体格納部８の側板８３、側板８４に対するカートリッジ６の平行度が保たれた状態となり、落下・衝撃の際にカートリッジ６の角部６ａ、６ｂ、６ｃ、６ｄが側板８３や側板８４に点接触することがなくなるので、情報記録媒体格納部８の側板８３や側板８４の変形を軽減でき、耐衝撃性を大きく向上できる。
【００５４】
また、図７（ａ）〜（ｃ）は、カートリッジ６が破線で示した情報記録媒体格納部８の中においてスライド挿入の際に凸部６０によって規制される様子を模式的に表したもので、図７（ａ）で示したスライド挿入開始の状態ではカートリッジ６が矢印で示した進行方向に対して回転方向に角度θの傾きがあったものが、図７（ｂ）で示した凸部６０が凹部６１に入り込み始めた状態から回転方向の規制が開始され角度θ１＜角度θとなり、図７（ｃ）で示したスライド挿入後においては回転方向の規制がほぼ完全に加わりカートリッジ６と情報記録媒体格納部８の側板８３や側板８４との平行度が保たれている。
【００５５】
本図からも明らかなように、凸部６０は、カートリッジ６を矢印で示したスライド挿入する方向である情報記録媒体格納部８の側板８３や側板８４の奥行き方向に沿って平板状に延設されているため、凸部６０が、カートリッジ６の奥行き方向においてより大きな挿入ストロークで規制応力がカートリッジ６に作用することにより、回転方向の規制がより精度良く行われる。
【００５６】
次に、図８を用いて図４（ａ）で示された構成の変形例を説明する。
【００５７】
本図のように、凸部６０とは別に保持板８１の挿入口８５側に設けられた凸部７０は、カートリッジ６を挿入しようとした正しい挿入位置から９０度、１８０度、または表裏反転して挿入しようとしても、その凸部６０と凹部６１の位置がずれていることを操作者が容易に視認できるので、確実に誤挿入を防止できる。
【００５８】
ここで、もしカートリッジ６の凹部６１の内側にシャッターのロックを解除する機構などが設けられてそれとの併用を行うために所定のロック解除機能が得られない場合は、少なくともそのロック解除機構に影響しない程度の高さに低めるとか、高さ方向に十分な弾性力を持たせた形状や素材を適宜選択すればよい。
【産業上の利用可能性】
【００５９】
以上のように、本発明による情報再生装置とそれを備えた電子機器は、カートリッジが情報記録媒体格納部に装着される際に、回転方向の規制を加え、情報記録媒体格納部に対するカートリッジの角度ずれを小さくし、振動・落下などにより情報記録媒体格納部へ与える影響を軽減することができるので、モバイルカートリッジが情報記録媒体格納部に装着される際に、回転方向の規制を加えることができる。
【００６０】
これにより、情報記録媒体格納部に対するカートリッジの角度ずれを小さくし、振動・落下などによる情報記録媒体格納部へ与える影響を軽減することができるので、ノート型の携帯型パーソナルコンピュータ、ＰＤＡに代表される携帯情報端末、携帯電話、携帯ゲーム機器、デジタルスチルカメラ、デジタルビデオカメラなどのモバイル用途の情報再生装置として利用することができる。
【図面の簡単な説明】
【００６１】
【図１】情報再生装置の情報記録媒体格納部を開放した状態の斜視図
【図２】情報再生装置の情報記録媒体格納部の内側から見た斜視図
【図３】情報再生装置の情報記録媒体格納部の正面図
【図４】（ａ）スライド挿入時の状態を示した図３のＡ−Ａ断面図、（ｂ）スライド挿入後の状態を示した図３のＡ−Ａ断面図
【図５】凸部と凹部の関係を示した図４（ｂ）のＢ−Ｂ部分断面図
【図６】スライド挿入後の状態を示した情報再生装置の情報記録媒体格納部の平面図
【図７】（ａ）スライド挿入開始のカートリッジの状態図、（ｂ）規制開始直後のカートリッジの状態図、（ｃ）スライド挿入後のカートリッジの状態図
【図８】図４（ａ）で示された構成の変形例を示す図
【符号の説明】
【００６２】
１    情報再生装置
２    再生機構部
５    ディスク状記録媒体
６    カートリッジ
６ａ、６ｂ、６ｃ、６ｄ    角部
７    情報記録媒体
８    情報記録媒体格納部
９    上面シャーシ
２２    スピンドルモータ
６０    凸部
６１    凹部
７０    凸部
７５    ピックアップ
８１    保持板
８２    保持板
８３    側板
８４    側板
８５    挿入口
９４    ピックアップ規制部材
９５    取り付け部
１００  イジェクトレバーの作用部
Ｗ    幅方向の間隔
Ｈ    高さ方向の間隔
ｗ１    幅方向の外形寸法
ｗ２    間隔
ｈ１    高さ方向の外形寸法
ｈ２    高さ方向の外形寸法
ｄ１    奥行き
θ    角度
θ１    角度
【図１】
2010205342.tif 000003
【図２】
2010205342.tif 000004
【図３】
2010205342.tif 000005
【図４】
2010205342.tif 000006
【図５】
2010205342.tif 000007
【図６】
2010205342.tif 000008
【図７】
2010205342.tif 000009
【図８】
2010205342.tif 000010